(57)【特許請求の範囲】
【請求項１】
マットレス及びこのマットレスを支持する基体を有するベッド装置であって、
前記基体は、
矩形状に形成され上面に前記マットレスが載置される載置台と、
この載置台の上面を覆う上面カバー部及びこの上面カバー部の外周部に設けられ前記載置台の周辺部に装着されてこの周辺部の上下面及び外周面を覆う矩形状の周辺カバー部を有するカバー体を備え、
前記周辺カバー部の少なくとも一部には、この部分を分断する切断部が形成され、この切断部によって分断された前記一辺の両端部分は連結手段によって分離可能に連結され、
前記載置台はフレームであって、その枠内には線材が張設され、
前記周辺カバー部の下面側には取付け部材の一端が取付けられていて、
前記取付け部材の他端部は、前記カバー体を前記フレームに装着した後、前記線材に取り外し可能に連結されることを特徴とするベッド装置。
【請求項２】
前記切断部は、前記周辺カバー部の少なくとも一辺に、この一辺を長手方向と交差する方向に形成されていることを特徴とする請求項１記載のベッド装置。
【請求項３】
前記カバー体は、前記上面カバー部と前記周辺カバー部のうちの、少なくとも前記上面カバー部が伸縮性を有する布地によって形成されていることを特徴とする請求項１記載のベッド装置。
【請求項４】
前記カバー体の前記周辺カバー部は、所定の幅寸法を有する布地を前記枠体の上下面及び外周面を覆うコ字状に折り曲げて前記載置台と対応する矩形状に配置される４つの側辺部と、隣り合う側辺部の端部間に設けられこれら側辺部の端部をほぼ直角に連結するコーナ部とによって形成されていることを特徴とする請求項１記載のベッド装置。
【発明の詳細な説明】
【技術分野】
【０００１】
この発明は上面にマットレスが載置される基体を有するベッド装置に関する。
【背景技術】
【０００２】
ベッド装置には種々のタイプがあり、その１つとして特許文献１に示されるように基体の上面にマットレスを載置する構成が知られている。
【０００３】
この種のタイプのベッド装置の前記基体としては、たとえば図７に示す構成のものが採用されている。すなわち、図７は基体１の下面を上に向けた状態の斜視図である。この基体１はフレーム２を備えている。このフレーム２は金属製の角パイプによって矩形枠状に形成され、内部には線材３が張設されている。
【０００４】
前記フレーム２の四つの角部には、前記フレーム２の隣り合う一対の側辺部の端部に両端を取付けた帯板状の取付け板４がそれぞれ架設されている。各取付け板４には脚体５がそれぞれ上端を着脱可能にねじ止め固定されている。それによって、前記フレーム２は前記脚体５によって所定の高さで支持されるようになっている。
【０００５】
前記フレーム２には厚手の布地によって形成されたカバー体６が装着されている。このカバー体６は、断面形状が前記フレーム２の角パイプの上下面及び外周面を覆うコ字状をなした周辺カバー部７と、前記フレーム２の上面を覆う上面カバー部８（図８に示す）と、下面を覆う下面カバー部９とによって形成されている。
【０００６】
前記周辺カバー部７は、図８に示すように前記フレーム２の角パイプの外周面を覆うまち部７ａと、このまち地７ａの上端に幅方向の一端が玉縁１０によって縫着されて前記フレーム２の角パイプの上面を覆う上地７ｂと、前記まち地７ａの下端に幅方向の一端が玉縁１０によって縫着されて前記フレーム２の角パイプの上面を覆う下地７ｃとによって形成されている。
【０００７】
なお、前記上面カバー部８は図８に示すように周辺部が前記周辺カバー部７の上地７ｂに逢着されている。
【０００８】
前記フレーム２の角パイプの下面には、後述するように前記カバー体６の前記下面カバー部９を前記フレーム２にタッカー１１によって固定するための帯板状の止め板部材１２が全周にわたってねじ止め固定されている。
【０００９】
前記カバー体６を前記フレーム２に装着する場合、一体化された前記周辺カバー部７と、前記上面カバー部８を前記フレーム２に装着する。つまり、前記周辺カバー部７を引き伸ばしながら前記フレーム２に装着する。
【００１０】
前記下面カバー部９は、一体化された前記周辺カバー部７と、前記上面カバー部８を前記フレーム２に装着した後、その周辺部を前記フレーム２の下面に設けられた前記止め板部材１２に、前記周辺カバー部７の前記フレーム２の角パイプの下面を覆う部分とともに前記タッカー１１によって前記取付け板４に取付け固定されている。
【先行技術文献】
【特許文献】
【００１１】
【特許文献１】特開２００８−３５９７０号公報
【発明の概要】
【発明が解決しようとする課題】
【００１２】
ところで、前記周辺カバー部７を前記フレーム２に装着する場合、前記周辺カバー部７は予め枠状に縫製されており、しかも前記上面カバー部８と一体化されているため、幅方向にほとんど引き伸ばすことができない。そのため、前記周辺カバー部７を前記フレーム２に比べて少し大きめの枠状に形成しておくことで、前記周辺カバー部７を前記フレーム２に装着できるようにしている。
【００１３】
そのため、装着された前記周辺カバー部７や前記上面カバー部８にはたるみが生じ易いということがあるため、使用感や外観が損なわれるということが生じていた。
【００１４】
しかも、前記周辺カバー部７が前記フレーム２に比べて少し大きめの枠状に形成されていると、前記周辺カバー部７が前記フレーム２に対してずれ動き易いということがあるから、そのことによっても使用感や外観が損なわれるということになる。
【００１５】
しかも、前記周辺カバー部７は、前記まち地７ａの上端に前記上地７ｂの幅方向の一端が玉縁１０によって縫着され、前記まち地７ａの下端に前記上地７ｂの幅方向の一端が同じく玉縁１０によって縫着されている。
【００１６】
そのため、前記周辺カバー部７が前記フレーム２に対してずれ動くと、とくに前記まち地７ａの上端と、前記上地７ｂの幅方向の一端との縫着された縫着線である玉縁１０が前記フレーム２の上端角部のエッジラインに対してずれてしまうため、外観が大きく低下するということも生じる。
【００１７】
さらに、前記カバー体６を前記フレーム２に固定するため、前記フレーム２の下面に木製の取付け板４を設け、この取付け板４に前記周辺カバー部７の下地７ｃと前記下面カバー部９の周辺部をタッカー１１によって固定するようにしている。
【００１８】
そのため、木製の前記取付け板４を前記フレーム２に設けるのに手間が掛かったり、木製の前記取付け板４に害虫が発生するなどのことがあった。
【００１９】
この発明は、周辺カバー部をフレームに対して大きく形成しなくとも、この周辺カバー部を前記フレームに容易に装着できるようにすることで、前記周辺カバー部が前記フレームに対してずれ動くことがないようにしたベッド装置を提供することにある。
【課題を解決するための手段】
【００２０】
この発明は、マットレス及びこのマットレスを支持する基体を有するベッド装置であって、
前記基体は、
矩形状に形成され上面に前記マットレスが載置される載置台と、
この載置台の上面を覆う上面カバー部及びこの上面カバー部の外周部に設けられ前記載置台の周辺部に装着されてこの周辺部の上下面及び外周面を覆う矩形状の周辺カバー部を有するカバー体を備え、
前記周辺カバー部の少なくとも一部には、この部分を分断する切断部が形成され、この切断部によって分断された前記一辺の両端部分は連結手段によって分離可能に連結され、
前記載置台はフレームであって、その枠内には線材が張設され、
前記周辺カバー部の下面側には取付け部材の一端が取付けられていて、
前記取付け部材の他端部は、前記カバー体を前記フレームに装着した後、前記線材に取り外し可能に連結されることを特徴とするベッド装置にある。
【発明の効果】
【００２１】
前記周辺カバー部を前記載置台と同等或いは同等よりも小さめに形成しても、前記連結手段によって前記周辺カバー部の前記切断部を分離した状態にすることで、前記周辺カバー部を前記載置台に容易に装着することが可能となる。
【００２２】
そのため、装着後に、前記周辺カバー部の前記切断部を前記連結手段によって連結することで、前記周辺カバー部が前記載置台に対してずれ動くのを防止することができる。
【図面の簡単な説明】
【００２３】
【図１】この発明の一実施の形態を示すベッド装置の斜視図。
【図２】フレームにカバー体の一部が装着された状態を示すベッド装置の斜視図。
【図３】カバー体を上面側から見た斜視図。
【図４】カバー体を下面側から見た斜視図。
【図５】フレームに張設された線材に面状ファスナーを係着させた状態を示す斜視図。
【図６】カバー体の周辺カバー部がフレームに装着された状態を示す断面図。
【図７】従来のベッド装置の基体を、下面側を上にした状態を示す斜視図。
【図８】カバー体の周辺カバー部を示す拡大断面図。
【発明を実施するための形態】
【００２４】
以下、この発明の一実施の形態を図１乃至図６を参照して説明する。  
図１に示すこの発明のベッド装置は基体２１を備えている。この基体２１は図２に示すように載置台としてのフレーム２２を有する。このフレーム２２は金属製の角パイプによって矩形枠状に形成されていて、その枠内には鋼線などの線材２３が格子状に張設されている。
【００２５】
前記フレーム２２の下面四隅部には図７に示す従来構造と同様、図示しない取付け板を介して脚体２４が着脱可能に取付けられている。
【００２６】
前記フレーム２２にはカバー体２６が装着されている。このカバー体２６は、所定の幅寸法を有する布地を、断面形状が前記フレーム２２の上下面及び外周面を覆うコ字状に折り曲げた周辺カバー部２７と、前記フレーム２２の上面を覆う布製の上面カバー部２８とによって形成されている。
【００２７】
つまり、前記周辺カバー部２７は図６に示すように前記フレーム２２の側辺部の上面及び下面をそれぞれを覆う上面部２７ａと下面部２７ｂ、及び外周面を覆うまち部２７ｃが所定の幅寸法を有する布地を折り曲げて形成されている。
【００２８】
この実施の形態では、前記周辺カバー部２７と、前記上面カバー部２８は、伸縮性を有する厚手の布地によって形成されている。  
なお、前記周辺カバー部２７と、前記上面カバー部２８のうち、どちらか一方或いは少なくとも前記上面カバー部２８を、伸縮性を有する厚手の布地によって形成するようにしてもよい。
【００２９】
前記周辺カバー部２７について、図３と図４を参照してさらに説明する。つまり、前記周辺カバー部２７は所定の幅寸法の布地を断面コ字状に折り曲げて、前記フレーム２２の各辺の長さと対応する長さに形成された４つの側辺部に分割されている。
【００３０】
前記フレーム２２の短辺に設けられる一対の側辺部２７ｄと、前記フレーム２２の長辺に設けられる一対の側辺部２７ｅとの隣り合う４つの端部は、それぞれ前記フレーム２２の角部の上下面及び外周面を覆う断面コ字状の袋状に形成された布地製のコーナ部２７ｆを介して逢着されている。
【００３１】
なお、前記上面カバー部２８と前記周辺カバー部２７の前記コーナ部２７ｆを除く部分を１枚の布地で一体形成するようにしてもよい。
【００３２】
図２に示すように、前記周辺カバー部２７の１つの側辺部２７ｄ、この実施の形態では前記フレーム２２の短辺に設けられる１つの側辺部２７ｄの長手方向の中央部には、この側辺部２７ｄを長手方向と交差する方向に分断する切断部３１が形成されている。
【００３３】
前記切断部３１によって分断された前記側辺部２７ｄの両端部には連結手段を構成するファスナー３２の一方３２ａと他方３２ｂがそれぞれ縫着されている。それによって、枠状に縫製された前記周辺カバー部２７は、前記ファスナー３２の一方３２ａと他方３２ｂを離脱させることによって、前記側辺部２７ｄの長手方向の中央部が分断された開放状態とすることができる。
【００３４】
なお、前記上面カバー部２８は、図６に示すように周縁部が前記フレーム２２の上面を覆う前記周辺カバー部２７の前記上面部２７ａの端縁に逢着されることで、前記周辺カバー部２７と一体化されている。
【００３５】
図４に示すように、前記周辺カバー部２７の前記下面部２７ｂには所定長さの帯状に形成された、取付け部材としての複数の面状ファスナー３３の所定間隔で一端部を縫着して設けられている。  
前記カバー体２６は、図２に示すように前記側辺部２７ａに設けられた前記ファスナー３２を外し、このファスナー３２が設けられた前記側辺部２７ｄを長手方向中央部で分断した状態で、前記基体２１の前記フレーム２２に装着される。
【００３６】
つまり、前記カバー体２６は、断面コ字状をなした各側辺部２７ｄ，２７ｅが前記フレーム２２の上下面及び外周面を覆う状態で前記フレーム２２に装着される。図２は前記カバー体２６の一端部側が前記フレーム２２に装着された状態を示している。
【００３７】
このとき、前記ファスナー３２が外され、前記側辺部２７ｄが長手方向中央部で分断された状態にあるから、前記カバー体２６は伸縮性を有する前記上面カバー部２８を弾性的に伸長させながら、前記周辺カバー部２７を前記フレーム２２に装着することができる。
【００３８】
そのため、枠状の前記周辺カバー部２７のまち部２７ｃの内周面がなす枠形状が前記フレーム２２の外周面がなす枠形状と同等の大きさ、或いは小さ目に形成されていても、前記周辺カバー部２７を前記フレーム２２に装着することができる。
【００３９】
そして、前記周辺カバー部２７を前記フレーム２２に装着した後、前記ファスナー３２の一方３２ａと他方３２ｂを係着させて前記切断部３１を閉じることで、前記周辺カバー部２７は前記フレーム２２に、ずれ動くことのない状態で保持されることになる。
【００４０】
このようにして、前記周辺カバー部２７を前記フレーム２２に装着したならば、図５に示すように前記周辺カバー部２７の前記下面部２７ｂに一端部が縫着された前記面状ファスナー３３の他端部を、前記フレーム２２に張設された前記線材２３に係着させる。  
それによって、前記カバー体２６は前記フレーム２２に対して保持固定されることになる。
【００４１】
そして、前記フレーム２２に装着された前記カバー体２６の上面には、図１に鎖線で示すようにマットレス３５が載置される。
【００４２】
このように構成されたベッド装置によれば、前記カバー体２６の１つの側辺部２７ｄを分断して切断部３１とし、その切断部３１をファスナー３２によって連結できるようにした。
【００４３】
そのため、前記側辺部２７ｄの前記切断部３１が開放された状態で、前記カバー体２６を前記フレーム２２に装着すれば、前記カバー体２６が前記フレーム２２と同等或いはやや小さ目の枠状に形成されていても、前記カバー体２６を前記フレーム２２に容易に装着することができる。
【００４４】
しかも、前記カバー体２６の周辺カバー部２７と上面カバー部２８を、伸縮性を有する布地によって形成した。そのため、前記周辺カバー部２７の上面部２７ａの内周縁に前記上面カバー部２８の周辺が縫着されていても、前記切断部３１を開放しておくことで、前記周辺カバー部２７を幅方向に拡大させることができるから、そのことによっても前記カバー体２６を前記フレーム２２へ容易に装着することができる。
【００４５】
なお、前記周辺カバー部２７の前記フレーム２２に対する装着性を考慮した場合、前記周辺カバー部２７よりも、前記上面カバー部２８の方を伸縮性を有する布地で形成することが好ましい。
【００４６】
図２に示すように前記ファスナー３２を外した状態で、前記周辺カバー部２７を前記フレーム２２に装着した後、図１に示すように前記ファスナー３２によって上記切断部３１を閉じれば、前記カバー体２６を前記フレーム２２に対してずれ動くことがないよう確実に保持固定することができる。
【００４７】
さらに、前記カバー体２６を前記フレーム２２に装着して前記ファスナー３２によって上記切断部３１を閉じた後、前記カバー体２６の前記周辺カバー部２７に設けられた面状ファスナー３３の他端部を前記フレーム２２内に張設された線材２３に係着すれば、前記カバー体２６は前記フレーム２２に対してさらに確実に保持固定することができる。
【００４８】
そのため、図７に示す従来のようにフレーム２に木製の取付け板４を設け、この取付け板４に周辺カバー部７と、下面カバー部９を一体にタッカー１１で固定するということをせずにすむから、木製の前記取付け板４に害虫が発生するというようなことがないばかりか、前記カバー体２６の前記フレーム２２に対する保持固定を容易かつ確実に行うことができるということがある。
【００４９】
前記カバー体２６の前記周辺カバー部２７は、上面部２７ａ、下面部２７ｂ及びまち部２７ｃが１枚の布地を断面コ字状に折り曲げて形成されている。つまり、前記周辺カバー部２７には前記まち部２７ｃと、前記上面部２７ａ及び下面部２７ｂとを縫合する縫合線、つまり玉縁がない。
【００５０】
そのため、使用に伴って前記カバー体２６が前記フレーム２２に対してずれ動くようなことがあっても、前記玉縁がある場合のようにその玉縁の真直ぐな線が前記フレーム２２の上端の外周エッジに対して曲がったり、ずれたりし、前記カバー体２６がずれ動いたということが判別し難い。
【００５１】
したがって、前記カバー体２６が前記フレーム２２に対してずれ動くようなことがあっても、前記フレーム２２に対する前記カバー体２６の装着状態の外観が低下するのを防止することができる。
【００５２】
前記カバー体２６の隣り合う各側辺部２７ｄ，２７ｅの端部は断面コ字状の袋状に形成されたコーナ部２７ｆを介して逢着されている。  
そのため、前記カバー体２６の、前記フレーム２２の角部のエッジ部に対応する部分には、前記カバー体２６の隣り合う各側辺部２７ｄ，２７ｅの端部を縫合する縫合線がないから、そのことによっても前記フレーム２２に対する前記カバー体２６の装着状態の外観が良好となる。
【００５３】
なお、上記一実施の形態では周辺カバー部２７の１つの側辺部２７ｄに１つの切断部３１を形成したが、他の側辺部２７ｄ、２７ｅ、或いはコーナ部２７ｆにも前記切断部３１を形成してもよく、その数は複数であってもよく、さらに切断部３１を設ける位置は側辺部２７ｄ、２７ｅの中央部だけに限定されるものではない。
【００５４】
また、前記切断部３１を連結する連結手段としてファスナー３２を用いるようにしたが、ファスナーに代わって釦やフォックなど他の手段を用いるようにしてもよい。
【００５５】
また、カバー体２６を切断部３１に設けられたファスナー３２と、周辺カバー部２７に設けられた取付け部材としての面状ファスナー３３とでフレーム２２に固定するようにしたが、面状ファスナー３３を用いず、切断部３１をファスナー３２で閉じるだけで、カバー体２６をフレーム２２に固定するようにしてもよい。
【００５６】
また、前記取付け部材としては面状ファスナー３３に限定されず、伸縮性を有するテープ状部材の一端を周辺カバー部２７の周辺部に連結し、他端にフックやボタンを設け、そのフックやボタンによって前記テープ状部材の他端を前記フレーム２２に張設された線材２３に係着させるようにしてもよい。
【００５７】
また、前記載置台として矩形枠状に形成されたフレーム２７を例に挙げて説明したが、前記載置台は、周辺部に前記周辺カバー部２７が装着できる矩形状の板材であってもよい。
【符号の説明】
【００５８】
２１…基体、２２…フレーム、２３…線材、２４…脚体、２６…カバー体、２７…周辺カバー部、２８…上面カバー部、３１…切断部、３２…ファスナー（連結手段）、３３…面状ファスナー、３５…マットレス。
【図１】
0006340354.tif 000002
【図２】
0006340354.tif 000003
【図３】
0006340354.tif 000004
【図４】
0006340354.tif 000005
【図５】
0006340354.tif 000006
【図６】
0006340354.tif 000007
【図７】
0006340354.tif 000008
【図８】
0006340354.tif 000009